(57)【特許請求の範囲】
【請求項１】
紙幣挿入口から挿入された紙幣の真偽を判別するとともに、その紙幣が真券と判断された場合はこれを紙幣挿入口直後の紙幣搬送路を介し装置本体の背面に装着されたスタッカ内に収容し、また偽券と判断された場合は装置本体内から返却するようにした紙幣処理装置において、
前記装置本体の前記紙幣挿入口側に配設された軸を中心に、前記紙幣搬送路の下面と一体に前記装置本体の底面の一部を形成する第１のボックスを回動自在に支承させ、かつ該第１のボックス底面に液物排出孔を形成するとともに、前記スタッカの下方に位置する部分に前記装置本体の底面の一部を形成する第２のボックスを前記装置本体に固着し、かつ該第２のボックスの前記第１のボックス側に隣接する側方に開口を形成し、
前記紙幣搬送路の下面から落下する液物を前記第１のボックスに形成された液物排出孔と、前記第２のボックス側方に形成された開口を介し前記装置本体の外部へ排出させるようにしたことを特徴とする紙幣処理装置。
【発明の詳細な説明】
【０００１】
【産業上の利用分野】
この発明は、自動販売機、両替機、サービス機器等に使用される紙幣処理装置の改良に関する。
【０００２】
【従来の技術】
一般に自動販売機、両替機、サービス機器等の機器には投入された紙幣の真偽を判別するための紙幣処理装置が装着されているものがある。
【０００３】
図３は上述した従来の紙幣処理装置１の一部破断概念側面図である。
【０００４】
この紙幣処理装置１は、側面からみて全体が略Ｌ字形に形成された装置本体２と、この装置本体２の背面に着脱自在に装着された紙幣収容手段であるスタッカ３とから構成されている。
【０００５】
このうち、装置本体２の下方には、その左端にカバー４が装着され、そのカバー４内には装置本体２の下部に形成された水平な紙幣搬送路５に連通する紙幣挿入口６が形成されている。
【０００６】
なお、この紙幣挿入口６が形成されたカバー４は、図示せぬ自動販売機等の機器正面を構成する扉に当該紙幣挿入口６が露出するよう装着される。
【０００７】
このような紙幣処理装置１によると、紙幣挿入口６内に図示せぬ紙幣が挿入されると、当該紙幣挿入口６内に配設された紙幣検出センサーによりその挿入が検出され、その検出信号に基づきスタッカ３下方の装置本体２内に配設された駆動モータ７が回転し、さらに当該駆動モータ７の駆動力により紙幣を水平方向へ搬送する第１の紙幣搬送手段８と、挿入紙幣をスタッカ３の側方に沿って上方へ搬送する第２の紙幣搬送手段９とが駆動される。
【０００８】
このうち第１の紙幣搬送手段８は一対のプーリ１０、１１と、この一対のプーリ１０、１１間に巻回された第１の紙幣搬送ベルト１２とからなり、駆動モータ７の駆動力が図示せぬ減速装置を介しプーリ１１に伝達されると第１の搬送ベルト１２が反時計方向へ回転し、挿入紙幣は当該第１の搬送ベルト１２と該搬送ベルト１２に圧接する複数のアイドルローラ１３間に挟持されて水平方向へ搬送される。
【０００９】
また駆動モータ７の駆動力がプーリ１１に伝達されると、その駆動力は当該プーリ１１に同軸に固着された小径のプーリ１４と該プーリ１４に巻回されたベルト１５、およびこのベルト１５に巻回した小径のプーリ１６を介し、このプーリ１６に同軸に固着された第２の紙幣搬送手段９を構成する大径のプーリ１７へ伝達される。
【００１０】
そしてこのプーリ１７に伝達された動力は、当該プーリ１７に巻回された第２の紙幣搬送ベルト１８に伝達され、挿入紙幣は当該第２の紙幣搬送ベルト１８と当該第２の紙幣搬送ベルト１８に圧接する複数のアイドルローラ１９とによりスタッカ３の側方に沿って上方へ搬送される。
【００１１】
このように、第１の搬送ベルト１２の反時計方向への回転により図面の右方向へ挿入紙幣が水平搬送されると、水平な紙幣搬送路５の略中間地点に配設された図示せぬ紙幣識別手段により挿入紙幣の真偽が判定される。
【００１２】
そして、この紙幣識別手段により挿入紙幣が偽券と判断された場合は駆動モータ７が逆転して第１の搬送ベルト１２を反転させ、当該挿入紙幣を紙幣挿入口６から返却する。
【００１３】
また挿入紙幣が紙幣識別手段により真券と判断された場合は、その検出信号に基づき、第１の搬送ベルト１２が反時計方向への回転を維持し、また第２の搬送ベルト１８も反時計方向への回転を維持するので、真券と判断された挿入紙幣は第２の搬送ベルト１８により装置本体２の上部へ搬送され、しかる後、スタッカ３内に積載収容される。
【００１４】
一方、上述した従来の紙幣処理装置１では、悪戯等により紙幣挿入口６から流し込まれた雨水等の水滴、あるいは洗剤等の粘着質な液物の排出対策として、装置本体２の底面２ａに液物排出手段２０を配設するようにしている。
【００１５】
この液物排出手段２０は、装置本体２とスタッカ３の両下面を覆うように配設された一つのボックス２１より構成されており、スタッカ３の下方に位置するボックス２１内には第１の紙幣搬送手段８および第２の紙幣搬送手段９を駆動する上述した駆動モータ７が収容されている。
【００１６】
一方、上述したボックス２１には、装置本体２の下方に位置する部分に断面漏斗形状の液物収集部２２が形成され、その排出孔２３には収集された液物を排出する液物排出チューブ２４が連結されている。
【００１７】
なお、紙幣挿入口６から侵入した液物は、紙幣搬送路５を形成する下シュートとアイドルローラ１３との間に形成された隙間ａ、ｂ、ｃから矢印のように下方へ落下し、その後、液物収集部２２に収集され、次に液物排出チューブ２４を介し装置１の外部へ排出される。
【００１８】
また、上述した液物排出手段２０が形成されたボックス２１は、スタッカ３の下方に配設された軸２５を中心に回動自在に支承されており、第１の紙幣搬送手段８の第１の紙幣搬送ベルト１２および紙幣搬送路５の上下面に配設された図示せぬ磁気ヘッド、ホトセンサー等の紙幣識別手段を構成する各要素の清掃等の保守点検作業を行う際は、図４で示すように、一旦スタッカ３を装置本体２に係止させるラチェット２６を操作してスタッカ３と装置本体２との係合を解除して、スタッカ３を装置本体２から取り外し、その後、軸２５を中心にボックス２１全体を反時計方向へ回転させ、これにより紙幣搬送路５の上下面を解放し、その間に綿棒等の清掃治具を挿入して上述した第１の紙幣搬送ベルト１２および紙幣識別手段を構成する各要素の清掃等の保守点検作業を行うようにしていた。
【００１９】
【発明が解決しようとする課題】
ところで、上述した従来の紙幣処理装置１によると、装置本体２の底面２ａ全体を覆うボックス２１の一部に断面漏斗形状の液物収集部２２を形成し、そこに形成された一つの液物排出孔２３のみから液物を排出させるようにしているので、液物が大量に、しかも急激に注入されると、一つの液物排出孔２３のみでは、迅速にその大量の液物を排出することができず、液物収集部２２内でオーバーフローし、このためオーバーフローした液物が駆動モータ７、およびその周辺に配設されたセンサー等の制御基板等に付着し、その作動を不良ならしめる難点があった。
【００２０】
また上述した従来の紙幣処理装置１によると、紙幣搬送路５の保守点検作業を行う際は、図４で示すように、装置本体２の底面２ａ全体を覆い、かつ駆動モータ７を収容した一つのボックス２１全体をスタッカ３の下方に配設された軸２５を中心として回動させるようにしているので、駆動モータ７を収容したボックス２１の回動領域を確保するため一旦装置本体２からスタッカ３を取り外す作業が必要で、そのため紙幣挿入口６直後の紙幣搬送路５の保守点検作業が煩雑となる難点があった。
【００２１】
この発明は上述した事情に鑑み、紙幣挿入口から侵入した大量の液物を迅速に排除するとともに、紙幣挿入口直後にある紙幣搬送路の保守点検作業が容易な紙幣処理装置を提供することを目的とする。
【００２２】
【課題を解決するための手段】
上述した課題を解決するため、この発明では、紙幣挿入口から挿入された紙幣の真偽を判別するとともに、その紙幣が真券と判断された場合はこれを紙幣挿入口直後にある紙幣搬送路を介し装置本体の背面に装着されたスタッカ内に収容するとともに、偽券と判断された場合は装置本体内から返却するようにした紙幣処理装置において、前記装置本体の前記紙幣挿入口側に配設された軸を中心に、前記紙幣挿入口直後にある紙幣搬送路の下面と一体に前記装置本体の底面の一部を形成する第１のボックスを回動自在に支承させ、かつ該第１のボックス底面に液物排出孔を形成するとともに、前記スタッカの下方に位置する部分に前記装置本体の底面の一部を形成する第２のボックスを前記装置本体に固着し、かつ該第２のボックスの前記第１のボックス側に隣接する側方に開口を形成し、前記紙幣搬送路の下面から落下する液物を前記第１のボックスに形成された液物排出孔と、前記第２のボックス側方に形成された開口を介し前記装置本体の外部へ排出させるようにしている。
【００２３】
【発明の実施の形態】
以下、この発明に係わる紙幣処理装置の一実施例を詳述する。
【００２４】
図１は、この発明に係わる紙幣処理装置３０の一部破断概念側面図で、図３乃至図４と同一部分を同一符号で示す。
【００２５】
この紙幣処理装置３０では、装置本体２の底面２ａが紙幣挿入口６側に配設された第１のボックス３１と、スタッカ３側に配設された第２のボックス３２とにより覆われている。
【００２６】
このうち、第１のボックス３１の上面は紙幣挿入口６直後にある紙幣搬送路５の下面５ａと一体に形成され、そこには第１の紙幣搬送ベルト１２に圧接する複数のアイドルローラ１３が回動自在に装着され、またこのアイドルローラ１３と紙幣搬送路５の下面５ａと間には液物が落下する隙間ａ、ｂ、ｃが形成されている。
【００２７】
一方、この第１のボックス３１の底面には、断面漏斗形状の液物収集部３３が形成され、その略中心部には液物排出孔３４が形成され、その液物排出孔３４には収集された液物を排出する液物排出チューブ２４が連結されている。
【００２８】
またこの第１のボックス３１は、紙幣挿入口６側に配設された軸３５を中心に回動自在に支承され、図１の初期位置では、図示せぬラッチ手段により装置本体２の下面に位置決め支承されている。
【００２９】
一方、スタッカ３側に配設された第２のボックス３２は装置本体２に固着され、その内部には挿入紙幣を水平方向へ搬送する第１の紙幣搬送手段８と、挿入紙幣をスタッカ３の側方に沿って上方へ搬送する第２の紙幣搬送手段９とを駆動する駆動モータ７が配設されている。またこの第２のボックス３２の側方のうち、前記第１のボックス３１側に隣接する側方はすべて解放されて、開口３２ａとなっている。
【００３０】
次に上述した紙幣処理装置３０の液物排出作用を説明し、併せて構成をより詳細に説明する。
【００３１】
上述した紙幣処理装置３０によると、図１で示すように、紙幣挿入口６から進入した雨水、洗剤等の液物は、紙幣搬送路５の下面５ａに形成された隙間ａ、ｂ、ｃを介して下方へ落下し、液物収集部３３に収集される。またこの液物収集部３３に収集された液物は、液物排出孔３４およびこの液物排出孔３４に連結された液物排出チューブ２４を介し装置本体２の外部へ排出される。
【００３２】
一方、紙幣挿入口６から液物が大量に、しかも急激に注入されると、その液物は液物収集部３３内でオーバーフローしようとするが、その前に液物は矢印Ａのように液物収集部３３の上壁を乗り越え、あるいは矢印Ｂのように第２のボックス３２の底面３２ｂに沿ってそれぞれ開口３２ａに案内され、この開口３２ａを介して装置本体２の下方へ迅速に排出される。
【００３３】
よって、液物収集部３３からオーバーフローした液物が駆動モータ７、およびその周辺に配設されたセンサー等の制御基板等に付着することが可及的に低減される。
【００３４】
また上述した紙幣処理装置３０によると、紙幣搬送路５の保守点検作業を行う際は、第１のボックス３１が紙幣挿入口６側に配設された軸３５を中心に回動自在に支承されているので、図２で示すように、図示せぬラッチ手段を解除し、その後、第１のボックス３１を軸３５を中心に時計方向へ回動させる簡単な操作を行えば、紙幣搬送路５全体が解放され、これにより保守点検作業の対象となる、第１の紙幣搬送手段８の第１の紙幣搬送ベルト１２および紙幣搬送路５の上下面に配設された図示せぬ磁気ヘッド、ホトセンサー等の紙幣識別手段を構成する各要素が露出するので、その間に綿棒等の清掃治具を挿入すれば、上述した第１の紙幣搬送ベルト１２および紙幣識別手段を構成する各要素の清掃等の保守点検作業を容易に行うことができることとなる。
【００３５】
【発明の効果】
以上説明したように、この発明の紙幣処理装置によると、紙幣挿入口直後にある紙幣搬送路の下面と一体に前記装置本体の底面の一部を形成する第１のボックスを回動自在に支承させ、その第１のボックス底面に液物排出孔を形成するとともに、スタッカの下方に位置する部分に装置本体の底面の一部を形成する第２のボックスを装置本体に固着し、かつ該第２のボックスの前記第１のボックス側に隣接する側方に開口を形成し、これにより紙幣搬送路の下面から落下する液物を第１のボックスの液物排出孔と第２のボックスの開口を介し排出させるようにしたから、紙幣挿入口から液物が大量に、しかも急激に注入された場合であっても、その液物をオーバーフローさせることなく、迅速に排出させることができ、このため液物が駆動モータ、およびその周辺に配設されたセンサー等の制御基板等に付着し、その作動を不良ならしめることがなく、また洗剤等の液物を流し込む悪質な悪戯に対しても紙幣処理装置が装着された機器を有効に保護し、その機能の低下を可及的に阻止することが出来る。また第１のボックスを紙幣挿入口側に配設された軸を中心に回動自在に支承させ、かつ第２のボックスを前記装置本体に固着するようにしたから、紙幣挿入口直後の紙幣搬送路の保守点検作業を行う際は、第１のボックスを紙幣挿入口側に配設された軸を中心に回動するという簡単な操作でその紙幣搬送路全体を解放し、これにより保守点検作業の対象となる、紙幣搬送ベルトおよび紙幣識別手段を構成する各要素等の清掃作業を行うことができ、従来の如く一旦スタッカを装置本体から取り外す作業を行う場合に比較して、紙幣処理装置の保守点検作業を極めて容易に行うことができる。
【図面の簡単な説明】
【図１】図１はこの発明に係わる紙幣処理装置の一部破断概念側面図。
【図２】図２はこの発明に係わる紙幣処理装置の作用を示す一部破断概念側面図。
【図３】図３は従来の紙幣処理装置の一部破断概念側面図。
【図４】図４は従来の紙幣処理装置の紙幣処理装置の作用を示す一部破断概念側面図。
【符号の説明】
２…装置本体
３…スタッカ
５…紙幣搬送路
６…紙幣挿入口
３０…紙幣処理装置
３１…第１のボックス
３２…第２のボックス
３２ａ…開口
３４…液物排出孔
３５…軸
【図１】
0003664809.tif 000002
【図２】
0003664809.tif 000003
【図３】
0003664809.tif 000004
【図４】
0003664809.tif 000005